【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
曲管リピーターパスを評価する方法であって：
曲管リピーターパスに含まれる、ノイズ温度を含む、送信地上局と受信地上局と宇宙とのパラメータを識別するステップと、
該曲管リピーターパスにおけるすべてのリピーターコンポーネントの増幅度、損失及び雑音温度を含むリピーターコンポーネントのコンポーネント性能パラメータを識別するステップと、
軌道上の宇宙機から、リピーターの実際の性能を含むテレメトリーデータを受信するステップと、
リピーターの実際の性能に関連するアップリンクの実際の等価等方輻射電力（ＥＩＲＰ）とアップリンクの実際の大気損失とを識別するステップと、
アップリンクの推定ＥＩＲＰと、アップリンクの推定大気損失とを、アップリンクの実際のＥＩＲＰと、アップリンクの実際の大気損失にほぼ等しくなるように調節するステップと、
曲管リピーターの物理モデルを構築するに先立って、評価システム中に非一時的記憶装置を含むプロセッサを用いて、リピーター性能を、送信地上局と受信地上局とリピーターコンポーネントとの性能パラメータ、及び調節されたアップリンクの推定ＥＩＲＰと調節されたアップリンクの推定大気損失の関数として予測するステップと、
該曲管リピーターパスにおける増幅器の相対的な飽和を、該増幅器に電源が入らない状態で予測し、該相対的飽和は該リピーターコンポーネントの飽和点に対する該リピーターパスの入力電力レベルを含むステップと、
該リピーターの予測性能と、該リピーターの実際の性能との差を計算するステップと、
該リピーターコンポーネントの該コンポーネント性能パラメータを、該リピーターの予測性能と該リピーターの実際の性能との該差が所定範囲内になるまで調節するステップと  
を含む方法。
【請求項２】
リピーターの予測性能を計算するステップが、
ダウンリンクの予測等価等方輻射電力（ＥＩＲＰ）及びリピーターパスの増幅度とノイズ温度の予測比率（Ｇ／Ｔ）とを、リピーターコンポーネントのコンポーネント性能パラメータと、送信及び受信地上局のパラメータとの関数として計算することを含む、請求項１に記載の方法。
【請求項３】
グラフィカルユーザーインターフェース（ＧＵＩ）上で、コンポーネント性能パラメータ、送信及び受信地上局のパラメータ、及びダウンリンクの予測ＥＩＲＰ及びＧ／Ｔを通信するステップをさらに含む、請求項２に記載の方法。
【請求項４】
ダウンリンクの予測ＥＩＲＰ及びＧ／Ｔのうちの少なくとも一つが、ダウンリンクの望ましいＥＩＲＰ及びＧ／Ｔの所定範囲内に収まるまで、コンポーネント性能パラメータを調節するステップをさらに含む、請求項２に記載の方法。
【請求項５】
曲管リピーターパス評価システムであって、
一又は複数の送信地上局と受信地上局と宇宙とのノイズ温度を含む複数の個々のパラメータ、および曲管リピーターパスにおけるすべてのリピーターコンポーネントの増幅度、損失及びノイズ温度を含む一又は複数のリピーターコンポーネント性能パラメータを取得するシステムマネージャと、
該システムマネージャと通信しており、該曲管リピーターパスのリピーターの性能を、送信地上局と受信地上局と宇宙のノイズ温度及びすべてのリピーターコンポーネントの増幅度と損失とノイズ温度とを含むパラメータの関数として、曲管リピーターの物理モデルを構築するに先立って該評価システムに非一時的記憶装置を含むプロセッサを用いて計算するように構成された性能計算機であって、増幅器に電源が入らない状態で、該曲管リピーターパスの増幅器の相対的飽和を予測し、該相対的飽和は、該曲管リピーターパスの、該リピーターコンポーネントの飽和点に対する入力電力レベルを含む性能計算機と、
一又は複数の送信及び受信地上局のリアルタイムに予測された個々の性能パラメータ及び全リピーターコンポーネントの増幅度と損失とノイズ温度とを表示するグラフィカルユーザーインターフェースであって、該グラフィカルユーザーインターフェースは、送信及び受信地上局の該複数の個々のパラメータ並びに該増幅度と損失とノイズ温度のリピーターコンポーネント性能パラメータのうちの少なくとも一つの再構成を可能にすることにより、該リピーターの予測性能がリピーターの望ましい性能の所定範囲内に収まることが可能になる、システム。
【請求項６】
前記グラフィカルユーザーインターフェースが、
ダウンリンクの予測等価等方輻射電力（ＥＩＲＰ）及び曲管リピーターパスの増幅度とノイズ温度の予測比率（Ｇ／Ｔ）のうちの少なくとも一つが、望ましいＥＩＲＰ及び望ましいＧ／Ｔの所定範囲内になるまで、コンポーネント性能パラメータを調節する一又は複数のパラメータアジャスタ
を含む、請求項５に記載のリピーターパス評価システム。
【請求項７】
リピーターコンポーネントが、低ノイズ増幅器（ＬＮＡ）及び最大電力定格を有する高電力増幅器（ＨＰＡ）を含み、本方法がさらに、
ＨＰＡを最大電力定格以下に維持しながら、リピーターの望ましい性能を得るために、ＬＮＡの増幅度を最大化するステップを含む、請求項５に記載のリピーターパス評価システム。
【請求項８】
ダウンリンクの予測ＥＩＲＰ及びリピーターのＧ／Ｔを最大化するように、ＬＮＡのノイズ指数を最小限に抑えるステップをさらに含む、請求項７に記載のリピーターパス評価システム。
【手続補正２】
【補正対象書類名】明細書
【補正対象項目名】０１１０
【補正方法】変更
【補正の内容】
【０１１０】
コンポーネント性能パラメータを調節するステップが：
リピーターコンポーネントのノイズ温度を調節する
ことを含む、実施形態１１の方法。
また、本願は以下に記載する態様を含む。
（態様１）
軌道上の宇宙機の曲管リピーターパスのリピーター性能を制御する方法であって：
送信地上局及び受信地上局のパラメータと、リピーターパスに含まれるリピーターコンポーネントのコンポーネント性能パラメータを識別し；
軌道上の宇宙機からテレメトリーデータを受信し、テレメトリーデータにはリピーターの実際の性能を含み；
リピーターの実際の性能に関連するアップリンクの実際の等価等方輻射電力（ＥＩＲＰ）とアップリンクの実際の大気損失を識別し；
アップリンクの推定ＥＩＲＰと、アップリンクの推定大気損失を、アップリンクの実際のＥＩＲＰと、アップリンクの実際の大気損失にほぼ等しくなるように調節し；
リピーター性能を、送信地上局及び受信地上局と、リピーターコンポーネントの性能パラメータ、及び調節されたアップリンクの推定ＥＩＲＰと、調節されたアップリンクの推定大気損失の関数として予測し；
リピーターの予測性能と、リピーターの実際の性能との差を計算し；
リピーターコンポーネントのコンポーネント性能パラメータを、リピーターの予測性能とリピーターの実際の性能との差が所定範囲内になるまで調節する
ステップを含む方法。
（態様２）
コンポーネント性能パラメータを識別するステップが：
リピーターコンポーネントのうちの少なくとも一つの増幅度、損失及びノイズ指数のうちの少なくとも一つのコンポーネント性能パラメータを識別する
ことを含む、態様１に記載の方法。
（態様３）
リピーターの予測性能を計算するステップが：
ダウンリンクの予測等価等方輻射電力（ＥＩＲＰ）及びリピーターパスの増幅度とノイズ温度の予測比率（Ｇ／Ｔ）を、リピーターコンポーネントのコンポーネント性能パラメータ、及び送信及び受信地上局のパラメータの関数として計算する
ことを含む、態様１に記載の方法。
（態様４）
グラフィカルユーザーインターフェース（ＧＵＩ）上で、コンポーネント性能パラメータ、送信及び受信地上局のパラメータ、及びダウンリンクの予測ＥＩＲＰ及びＧ／Ｔを通信する
ステップをさらに含む、態様３に記載の方法。
（態様５）
ダウンリンクの予測ＥＩＲＰ及びＧ／Ｔのうちの少なくとも一つが、ダウンリンクの望ましいＥＩＲＰ及びＧ／Ｔの所定範囲内に収まるまで、コンポーネント性能パラメータを調節する
ステップをさらに含む、態様３に記載の方法。
（態様６）
リピーターパス評価システムであって：
一又は複数の送信地上局及び受信地上局の複数の個々のパラメータ、及びリピーターパスの一又は複数のリピーターコンポーネントの増幅度、損失及びノイズ指数のうちの少なくとも一つを含む一又は複数のリピーターコンポーネント性能パラメータを取得するシステムマネージャ；
システムマネージャと連通しており、リピーターパスのリピーターの予測性能を、送信地上局及び受信地上局、及び一又は複数のリピーターコンポーネントの増幅度、損失、及びノイズ指数のうちの少なくとも一つのパラメータの関数として計算する性能計算機；
一又は複数の送信及び受信地上局、及び一又は複数のリピーターコンポーネントの増幅度、損失及びノイズ指数のうちの少なくとも一つのリアルタイムに予測された個々の性能パラメータを表示するグラフィカルユーザーインターフェース；
を含み、グラフィカルユーザーインターフェースは、送信及び受信地上局の複数の個々のパラメータのうちの少なくとも一つと、増幅度、損失、及びノイズ指数のうちの少なくとも一つのリピーターコンポーネント性能パラメータの再構成を可能にすることにより、リピーターの予測性能がリピーターの望ましい性能の所定範囲内に収まることが可能になる、システム。
（態様７）
リピーターコンポーネントがさらに、リピーターコンポーネントの増幅度に関連し、グラフィカルユーザーインターフェースによって再構成可能であるノイズ温度を含む、
態様６に記載のリピーターパス評価システム。
（態様８）
グラフィカルユーザーインターフェースが、
ダウンリンクの予測等価等方輻射電力（ＥＩＲＰ）及びリピーターパスの増幅度とノイズ温度の予測比率（Ｇ／Ｔ）のうちの少なくとも一つが、望ましいＥＩＲＰ及び望ましいＧ／Ｔの所定範囲内になるまで、コンポーネント性能パラメータを調節する一又は複数のパラメータアジャスタ
を含む、態様６に記載のリピーターパス評価システム。
（態様９）
リピーターコンポーネントが、低ノイズ増幅器（ＬＮＡ）及び最大電力定格を有する高電力増幅器（ＨＰＡ）を含み、本方法がさらに、
ＨＰＡを最大電力定格以下に維持しながら、リピーターの望ましい性能を得るために、ＬＮＡの増幅度を最大化する
ステップを含む、態様６に記載のリピーターパス評価システム。
（態様１０）
ダウンリンクの予測ＥＩＲＰ及びリピーターのＧ／Ｔを最大化するように、ＬＮＡのノイズ指数を最小限に抑える
ステップをさらに含む、態様９に記載のリピーターパス評価システム。